(57)【要約】【課題】数多いページのデータに対して、削除、コピー等の編集を行なう場合、一層簡単に編集作業ができる表示装置、削除方法、コンピュータプログラム、及び記録媒体を提供する。【解決手段】表示部６０の表示画面上の位置の指定を受け付けるタッチパネル６１を備え、タッチパネル６１が２つの位置の指定を受け付けた場合、該２つの位置を結ぶ直線によって前記表示画面を２つの領域に分割し、タッチパネル６１が受け付けた位置の指定に基づいて、削除すべき（又は残すべき）領域の選択を受け付けて、表示部６０に表示された表示画像を部分的に削除する。【選択図】図１
2014010764.tif 000002
【特許請求の範囲】
【請求項１】
表示部と、該表示部の表示画面上の位置の指定を受け付ける位置受付部とを備えており、前記表示部に表示された表示画像を部分的に削除できる表示装置において、
前記位置受付部が２つの位置の指定を受け付けた場合、該２つの位置を結ぶ直線によって前記表示画面を２つの領域に分割する分割手段と、
前記位置受付部が受け付けた位置の指定に基づいて、削除すべき領域の選択を受け付ける選択受付手段と
を備えることを特徴とする表示装置。
【請求項２】
前記表示部に前記直線を表示する表示手段を備えることを特徴とする請求項１に記載の表示装置。
【請求項３】
非選択領域に対応する前記表示画像の部分を記憶する記憶部と、
前記位置受付部が受け付けた位置の指定に基づいて、他の画像の表示指示を受け付ける受付手段とを備え、
前記表示手段は、前記非選択領域に対応する前記表示画像の部分を前記他の画像に重畳して表示するように構成されていることを特徴とする請求項２に記載の表示装置。
【請求項４】
表示部と、該表示部の表示画面上の位置の指定を受け付ける位置受付部とを備える表示装置にて、前記表示部に表示された表示画像を部分的に削除する削除方法において、
前記位置受付部が２つの位置の指定を受け付けた場合、該２つの位置を結ぶ直線によって前記表示画面を２つの領域に分割するステップと、
前記位置受付部が受け付けた位置の指定に基づいて、削除すべき領域の選択を受け付けるステップと
を含むことを特徴とする削除方法。
【請求項５】
表示部と、該表示部の表示画面上の位置の指定を受け付ける位置受付部とを備える表示装置を構成するコンピュータに、前記表示部に表示された表示画像を部分的に削除させるコンピュータプログラムにおいて、
コンピュータに、前記位置受付部が２つの位置の指定を受け付けた場合、該２つの位置を結ぶ直線によって前記表示画面を２つの領域に分割させるステップと、
コンピュータに、前記位置受付部が受け付けた位置の指定に基づいて、削除すべき領域の選択を受け付けさせるステップと
を実行させることを特徴とするコンピュータプログラム。
【請求項６】
請求項５に記載のコンピュータプログラムを記録してあることを特徴とするコンピュータでの読み取りが可能な記録媒体。
【発明の詳細な説明】
【技術分野】
【０００１】
本発明は、表示部と、該表示部の表示画面上の位置の指定を受け付ける位置受付部とを備えた表示装置、該表示装置に係る画像の削除方法及びコンピュータプログラム、並びに該コンピュータプログラムが記録された記録媒体に関する。
【背景技術】
【０００２】
近年、いわゆるタッチパネルを備える表示装置において、表示される画像を鉛直方向又は水平方向の２方向に分割することについて開示されている。
【０００３】
例えば、特許文献１には、タッチパネルを備えた表示部上で、中指でタッチされた第１接触点を含む領域を固定領域として、表示されている表示内容を固定し、それ以外の剰余領域で、例えば人差し指を第２接触点としてタッチアンドドラッグ操作を行うと、前記剰余領域に表示されている表示内容がドラッグした方向に応じてスクロール表示されるタッチパネル操作方法について開示されている。
【先行技術文献】
【特許文献】
【０００４】
【特許文献１】特開２０１１−２４２８２０号公報
【発明の概要】
【発明が解決しようとする課題】
【０００５】
一方、複数ページのデータに対して、削除、コピー等の編集を行なう場合、利用者は、ページ毎に対象となる部分のコピーアンドペーストを繰り返す必要がある。しかし、ページ数が多い場合、またコピーすべき部分が多い場合は、コピーすべき部分の指定、コピーの指示、貼り付ける位置指定、貼り付け指示等の操作は利用者にとって手間のかかるものである。しかしながら、特許文献１に係る発明ではこのような問題を解決することが出来ない。
【０００６】
本発明は、斯かる事情に鑑みてなされたものであり、その目的とするところは、表示部の表示画面上の位置の指定を受け付ける位置受付部を備え、該位置受付部が２つの位置の指定を受け付けた場合、該２つの位置を結ぶ直線によって前記表示画面を２つの領域に分割し、前記位置受付部が受け付けた位置の指定に基づいて、削除すべき（又は残すべき）領域の選択を受け付けて、前記表示部に表示された表示画像を部分的に削除することにより、例えば、数多いページのデータに対して、削除、コピー等の編集を行なう場合、一層簡単に編集作業ができる表示装置、削除方法、コンピュータプログラム、及び記録媒体を提供することにある。
【０００７】
また、本発明の他の目的は、例えば、前記位置受付部が受け付けた位置の指定に基づいて、他の画像の表示指示を受け付けた場合、斯かる他の画像の表示のみでなく、非選択領域に対応する前記表示画像の部分を前記他の画像に重畳して表示することにより、該他の画像において、貼り付けに係る利用者の操作を省くことができる表示装置、削除方法、コンピュータプログラム、及び記録媒体を提供することにある。
【課題を解決するための手段】
【０００８】
本発明に係る表示装置は、表示部と、該表示部の表示画面上の位置の指定を受け付ける位置受付部とを備えており、前記表示部に表示された表示画像を部分的に削除できる表示装置において、前記位置受付部が２つの位置の指定を受け付けた場合、該２つの位置を結ぶ直線によって前記表示画面を２つの領域に分割する分割手段と、前記位置受付部が受け付けた位置の指定に基づいて、削除すべき領域の選択を受け付ける選択受付手段とを備えることを特徴とする。
【０００９】
本発明にあっては、前記位置受付部が２つの位置の指定を受け付けた場合、前記分割手段は、前記位置受付部が受け付けた２つの位置を結ぶ直線によって前記表示画面を２つの領域に分割し、続いて前記位置受付部が受け付ける位置の指定に基づいて、前記選択受付手段は、削除すべき領域の選択を受け付け、斯かる領域に対応する前記表示画像の部分が削除される。
【００１０】
本発明に係る表示装置は、前記表示部に前記直線を表示する表示手段を備えることを特徴とする。
【００１１】
本発明にあっては、前記位置受付部が２つの位置の指定を受け付けた場合、前記表示手段は斯かる２つの位置を結ぶ直線を前記表示部に表示し、削除すべき（又は残すべき）領域の利用者による確認を助ける。
【００１２】
本発明に係る表示装置は、非選択領域に対応する前記表示画像の部分を記憶する記憶部と、前記位置受付部が受け付けた位置の指定に基づいて、他の画像の表示指示を受け付ける受付手段とを備え、前記表示手段は、前記非選択領域に対応する前記表示画像の部分を前記他の画像に重畳して表示するように構成されていることを特徴とする。
【００１３】
本発明にあっては、前記分割手段によって分割された２つの領域の中、前記選択受付手段が受け付けた選択に対応する領域以外の非選択領域に対応する前記表示画像の部分は前記記憶部に記憶される。また、前記選択受付手段による選択の受け付けに続いて、前記受付手段が、前記位置受付部が受け付けた位置の指定に基づいて、他の画像の表示指示を受け付けた場合、前記表示手段は、前記非選択領域に対応する前記表示画像の部分を前記他の画像に重畳して表示する。
【００１４】
本発明に係る削除方法は、表示部と、該表示部の表示画面上の位置の指定を受け付ける位置受付部とを備える表示装置にて、前記表示部に表示された表示画像を部分的に削除する削除方法において、前記位置受付部が２つの位置の指定を受け付けた場合、該２つの位置を結ぶ直線によって前記表示画面を２つの領域に分割するステップと、前記位置受付部が受け付けた位置の指定に基づいて、削除すべき領域の選択を受け付けるステップとを含むことを特徴とする。
【００１５】
本発明に係るコンピュータプログラムは、表示部と、該表示部の表示画面上の位置の指定を受け付ける位置受付部とを備える表示装置を構成するコンピュータに、前記表示部に表示された表示画像を部分的に削除させるコンピュータプログラムにおいて、コンピュータに、前記位置受付部が２つの位置の指定を受け付けた場合、該２つの位置を結ぶ直線によって前記表示画面を２つの領域に分割させるステップと、コンピュータに、前記位置受付部が受け付けた位置の指定に基づいて、削除すべき領域の選択を受け付けさせるステップとを実行させることを特徴とする。
【００１６】
本発明にあっては、前記位置受付部が２つの位置の指定を受け付けた場合、前記位置受付部が受け付けた２つの位置を結ぶ直線によって前記表示画面が２つの領域に分割され、引き続き前記位置受付部が受け付ける位置の指定に基づいて、削除すべき領域の選択が受け付けられ、斯かる領域に対応する前記表示画像の部分が削除される。
【００１７】
本発明に係る記録媒体は、前述の発明のコンピュータプログラムを記録してあることを特徴とする。
【００１８】
本発明にあっては、前記記録媒体に前述のコンピュータプログラムを記録する。コンピュータが前記記録媒体からコンピュータプログラムを読み出して、前述の表示装置及び削除方法がコンピュータにより実現される。
【発明の効果】
【００１９】
本発明によれば、例えば、数多いページのデータに対して、削除、コピー等の編集を行なう場合でも、一層簡単に編集作業ができる。
【００２０】
また、本発明によれば、例えば、前記位置受付部が受け付けた位置の指定に基づいて、他の画像の表示指示を受け付けた場合、斯かる他の画像のみでなく、非選択領域に対応する前記表示画像の部分が前記他の画像に重畳して表示されるので、該他の画像において、貼り付けに係る利用者の操作を省くことができる。
【図面の簡単な説明】
【００２１】
【図１】本発明の実施の形態１の複合機の要部構成を示す機能ブロック図である。
【図２】本発明の実施の形態１の複合機において、制御部の要部構成を示す機能ブロック図である。
【図３】本発明の実施の形態１の複合機における、画像表示に係る処理の一例を説明するフローチャートである。
【図４】本発明の実施の形態１の複合機における、画像表示に係る処理の一例を説明するフローチャートである。
【図５】本発明の実施の形態１の複合機における、画像表示に係る処理を説明する説明図である。
【図６】本発明の実施の形態１の複合機における、画像表示に係る処理の他例を説明する説明図である。
【図７】本発明の実施の形態１の複合機における、画像表示に係る操作の一例を説明する説明図である。
【図８】本発明の実施の形態２の複合機の要部構成を示す機能ブロック図である。
【発明を実施するための形態】
【００２２】
以下に、本発明の実施の形態に係る表示装置、削除方法及びコンピュータプログラムを、いわゆるタッチパネルの機能を有する複合機に適用した場合を例として、図面に基づいて詳述する。また、本発明の適用が複合機に限るものでないことは言うまでもない。
【００２３】
（実施の形態１）
図１は本発明の実施の形態１の複合機１００の要部構成を示す機能ブロック図である。複合機１００は、制御部１と、画像入力部１０と、画像処理部２０と、画像出力部３０と、送受信部４０と、操作パネル５０と、表示部６０と、記憶部７０とを備えている。    
【００２４】
画像入力部１０は、読み取り用の原稿に光を照射する光源、ＣＣＤ（Charge Coupled Device）のようなイメージセンサ等を有し、該原稿の画像データの光学的読み取りを行なう。また、画像入力部１０では、所定の読取り位置に載置された原稿からの反射光像を当該イメージセンサに結像させ、ＲＧＢ（R : Red, G : Green, B : Blue）のアナログデータを出力する。
【００２５】
画像処理部２０は、例えば、画像入力部１０から入力されるアナログデータを基にデジタル形式の画像データを生成し、又は記憶部７０に記憶されている画像データを読み出し、夫々の画像の種類に応じた処理を施した後、出力（印刷）すべき画像データを生成する。画像処理部２０によって生成された出力用画像データは、画像出力部３０に出力される。
【００２６】
画像出力部３０は、画像処理部２０から出力される画像データに基づく画像を記録用紙、ＯＨＰフィルム等の記録媒体上に印刷する。画像出力部３０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２７】
送受信部４０は、外部に前記原稿のデータを送信するネットワークカード、モデム等を備えている。例えば、送受信部４０はＩ／Ｆ（図示せず）を介して外部に前記原稿の画像データを送信する。
【００２８】
操作パネル５０は、複合機１００における複数の機能を切り替える機能ボタン、テンキー、スタートキー、キャンセルキー、受け付けた指示を確定するためのエンターキー、画像入力部１０を介して読み取った原稿の画像をシート状の記録媒体上に画像形成するための「印刷」キー又は「コピー」キー等を備えている。
【００２９】
表示部６０は、例えば、ＬＣＤ又はＥＬ （Electroluminescence）パネル等からなり、画像出力部３０を介して、所定の記録用紙へ出力（印刷）すべき画像が表示される。また、表示部６０は、複合機１００の状態、ジョブ処理の状況、画像入力部１０が読み取った原稿の画像及び操作パネル５０の操作内容の確認等、利用者に対して報知すべき情報を表示する。
【００３０】
また、表示部６０はタッチパネル６１を有しており、タッチパネル６１は表示部６０の表示画面を覆うように設けられている。タッチパネル６１は利用者の指先のタッチ操作による圧力の変化を検知し、又は静電気による電気信号を検知して、当該位置に対応する座標を特定する信号を発する。
【００３１】
記憶部７０は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００３２】
以上の構成を用いて、本発明の実施の形態１に係る複合機１００は、利用者から表示部６０（タッチパネル６１）へのタッチ操作（位置指定）を受け付け、表示部６０に表示されている画像の処理を行なう。
【００３３】
例えば、利用者は表示部６０のタッチパネル６１を指先でタッチすることにより、表示部６０の表示画面上の位置指定を行なう。この場合、タッチパネル６１は、タッチされた接点の位置指定を受け付け、該位置に対応する座標を特定する信号を制御部１に送出する。
【００３４】
制御部１は、タッチパネル６１から前記信号を取得して、該信号によって特定される座標に基づいて、後述するように、前記表示画面を２つの領域に分割し、保存すべき領域及び／又は削除すべき領域を判定する。
【００３５】
一方、例えば、利用者が中指及び食指を使って、表示部６０のタッチパネル６１をタッチした場合、タッチパネル６１は２点（位置）の位置指定を受け付ける。この場合、タッチパネル６１は、中指でタッチされた第１接点と、食指でタッチされた第２接点との位置指定を受け付け、これら２つの接点の座標を特定する信号を制御部１に送出する。
【００３６】
図２は本発明の実施の形態１の複合機１００において、制御部１の要部構成を示す機能ブロック図である。制御部１は、ＣＰＵ１１と、ＲＯＭ１２と、ＲＡＭ１３と、表示制御部１４と、分割部１５と、指示受付部１６と、選択受付部１７と、タッチパネル制御部１８とを備えている。
【００３７】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。更にＲＯＭ１２には、上述するように、次のページを表示する指示に斯かる閾値が記憶されている。
【００３８】
また、ＲＡＭ１３は、例えば、ＲＯＭ１２から読み出されたプログラム、該プログラムを実行することにより発生する各種データ、該実行の際適宜変化するパラメータ等を記憶する。
【００３９】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１００として動作させる。
【００４０】
表示制御部１４は、例えば、ＤＳＰ（Digital Signal Processor）のようなプロセッサにより構成され、表示部６０への画像表示を制御する。例えば、表示制御部１４は、後述するように、タッチパネル６１が受け付けた位置指定に係る２つの接点を結ぶ直線を表示部６０に表示し、表示画面の一部を所定画面に重畳して表示する処理を行なう。
【００４１】
一方、タッチパネル制御部１８は、タッチパネル６１を介して受け付けた利用者からの位置指定によってタッチパネル６１が発する信号に基づき、所定の処理、演算等を行ない、該位置指定に対応する位置を特定する。換言すれば、タッチパネル制御部１８は利用者がタッチした表示部６０の表示画面上における所定位置を特定することができる。タッチパネル制御部１８による位置の特定に基づいて、分割部１５、指示受付部１６及び選択受付部１７は夫々対応する処理を行なう。
【００４２】
また、分割部１５は、タッチパネル６１を介して受け付けた２つ接点の位置指定に基づいて、表示部６０の表示画面を２つに分割する。
例えば、上述したように、利用者が中指及び食指を使って、表示部６０の表示画面（タッチパネル６１）をタッチした場合、タッチパネル６１が、中指でタッチされた第１接点と、食指でタッチされた第２接点との座標を特定する信号をタッチパネル制御部１８に送出する。タッチパネル制御部１８は、該信号を受信して、利用者がタッチした表示部６０の表示画面上における第１接点及び第２接点の位置を特定する。
【００４３】
この際、表示制御部１４が、その位置が特定された第１接点及び第２接点を結ぶ直線を表示部６０に表示し、分割部１５は、該直線を基準とする両側の領域に、表示部６０の表示画面を分割する。
【００４４】
選択受付部１７は、このように２つに分割された前記表示画面の領域の中、何れか一方の選択を受け付け、前記表示画像であって、該表示画面の選択された領域（以下、選択領域という）に対応する部分を削除すべき画像領域としてみなす。換言すれば、選択受付部１７は前記表示画像の削除すべき部分の選択を受け付ける。
【００４５】
例えば、分割部１５によって表示部６０の表示画面が２つに分割された後、両領域の中、何れか一方を利用者が更にタッチした場合、選択受付部１７は利用者によってタッチされた領域（選択領域）に対応する部分を削除すべき画像領域としてみなす。
【００４６】
指示受付部１６は、前記選択領域における利用者の特定操作に応じて、前記表示画像であって、非選択領域に対応する部分を、他の画像に重畳して表示する指示を受け付ける。例えば、複数ページの画像の所定ページが表示された後に、選択受付部１７が削除すべき画像領域の選択を受け付けた場合において、利用者が斯かる選択領域にてドラッグ操作を行なった場合、指示受付部１６は、非選択領域に対応する表示画像の部分を次のページの画像に重畳して表示する指示として受け付ける。
【００４７】
なお、上述した表示制御部１４、分割部１５、指示受付部１６及び選択受付部１７は、ハードウェアロジックによって構成してもよいし、ＣＰＵ１１が所定のプログラムを実行することにより、ソフトウェア的に構築されてもよい。
【００４８】
図３及び図４は本発明の実施の形態１の複合機１００における、画像表示に係る処理の一例を説明するフローチャートであり、図５は本発明の実施の形態１の複合機１００における、画像表示に係る処理を説明する説明図である。説明の便宜上、複数のページを有する画像を表示する場合を例に、図５に基づいて説明する。
【００４９】
例えば、図５Ａに示すように、前記複数ページの中、所定ページ（Ｎページ）が表示部６０に表示されているものとする（ステップＳ１０１）。該Ｎページは、１日〜１０日までの日付に係るコラムと、回路、機構等の項目とが記載された日程表が表示されている。利用者は１日〜１０日までの日程表の記入が終った場合、１１日以降の日付のコラム（Ｎ＋１ページ）が記載されたページを新たに表示するが、前記項目はそのまま残すことが望ましい。
【００５０】
このように、表示部６０の表示画面（Ｎページの画像）の一部のみを削除（変更）し、他部を残したい利用者は、この際、タッチパネル６１上の２つの点をタッチして２つの接点の位置を指定する。例えば、図５Ｂに示すように、利用者は一方の手の中指及び食指を使って、縦方向にタッチパネル６１における２つの点をタッチする。これによって、タッチパネル６１は中指でタッチされた第１接点と、食指でタッチされた第２接点との位置指定を受け付ける（ステップＳ１０２）。
【００５１】
また、タッチパネル６１は、前記第１接点及び第２接点の座標を特定する信号をタッチパネル制御部１８に送出し、タッチパネル制御部１８は、これら信号に基づいて利用者がタッチした前記第１接点及び第２接点の位置（座標）を特定する。
【００５２】
次いで、ＣＰＵ１１は、計時部（図示せず）の計時結果に基づき、特定時間の間、タッチパネル制御部１８による位置特定の結果に変更がないかを判定する（ステップＳ１０３）。すなわち、利用者によるタッチパネル６１上における２つの点のタッチが、前記表示画面の一部を削除する処理に係る操作であるか、他の処理のための操作であるかを判定する。
【００５３】
例えば、特定時間の間、利用者が斯かる２つの接点（食指及び中指）間の距離を縮小・拡大する操作を行なった場合、ＣＰＵ１１は、特定時間の間、タッチパネル制御部１８による位置特定の結果に変更があると判定し（ステップＳ１０３：ＮＯ）、斯かる操作に対応する通常の処理を行ない（ステップＳ１０４）、その後、処理を終了する。
【００５４】
一方、ＣＰＵ１１は、特定時間の間、タッチパネル制御部１８による位置特定の結果に変更がないと判定した場合（ステップＳ１０３：ＹＥＳ）、表示制御部１４は、タッチパネル制御部１８によって特定された斯かる第１接点及び第２接点の位置（座標）を結ぶ直線を表示部６０の表示画面に表示する（ステップＳ１０５）。図５Ｂには、斯かる直線Ｌ１が点線である場合を一例として示している。これによって、表示部６０の表示画面は、領域Ｘ（日付コラム）と、領域Ｙ（刻目）とに２分割される。
【００５５】
この際、ＣＰＵ１１は、計時部（図示せず）の計時結果に基づき、特定時間の間、前記第１接点及び第２接点の座標に変更があるか否かを判定する（ステップＳ１０６）。
【００５６】
ＣＰＵ１１は、特定時間の間、前記第１接点及び第２接点の座標に変更があると判定した場合（ステップＳ１０６：ＮＯ）、斯かる２つの接点がタッチパネル６１とのタッチ状態を維持しているか否かを判定する（ステップＳ１０７）。
【００５７】
ＣＰＵ１１が、斯かる２つの接点がタッチパネル６１とのタッチ状態を維持していると判定した場合（ステップＳ１０７：ＹＥＳ）、表示制御部１４は、変更後の第１接点及び第２接点の位置（座標）を結ぶ直線を表示部６０の表示画面に再表示し（ステップＳ１０８）、以後、処理はＳ１０６に戻る。
【００５８】
一方、ＣＰＵ１１は、斯かる２つの接点がタッチパネル６１とのタッチ状態を維持していないと判定した場合（ステップＳ１０７：ＮＯ）、処理をＳ１０４に戻す。
【００５９】
また、Ｓ１０６にて、ＣＰＵ１１が、特定時間の間、前記第１接点及び第２接点の座標に変更がないと判定した場合（ステップＳ１０６：ＹＥＳ）、選択受付部１７は、当該表示画像の中、削除すべき領域の選択を受け付ける（ステップＳ１０９）。
【００６０】
例えば、図５Ｃに示すように、表示部６０に直線Ｌ１が表示され、前記表示画面が領域Ｘ及び領域Ｙに２分割された場合において、利用者が他方の手の食指にて領域Ｘの何れかの位置をタッチした場合、選択受付部１７は領域Ｘに対応するＮページの画像の部分を削除すべき画像の領域としてみなす。以下、領域Ｘにおける、斯かるタッチの位置を第３接点と称し、この位置を最初位置という。
【００６１】
次いで、ＣＰＵ１１は、領域Ｘに対応するＮページの画像の部分を削除すると共に（図５Ｄ参照）、非選択領域、すなわち領域Ｙに対応するＮページの画像の部分を記憶部７０に記憶する（ステップＳ１１０）。
【００６２】
また、ＣＰＵ１１は、タッチパネル制御部１８による位置特定の結果に基づいて、前記第３接点の位置（座標）が変更されたか、変更されたのであれば、該変更がＲＯＭ１２に記憶されている前記閾値以上であるか否かを判定する（ステップＳ１１１）。
【００６３】
例えば、ＣＰＵ１１は、前記第３接点の位置（座標）が変更されていない、又は変更されたものの、該変更が前記閾値未満であると判定した場合（ステップＳ１１１：ＮＯ）、タッチパネル制御部１８による位置特定の結果に基づいて、第３接点がタッチパネル６１とのタッチ状態を維持しているか否かを判定する（ステップＳ１１２）。
【００６４】
ＣＰＵ１１は、第３接点がタッチパネル６１とのタッチ状態を維持していると判定した場合（ステップＳ１１２：ＹＥＳ）、処理をＳ１１１に戻す。また、ＣＰＵ１１は、第３接点がタッチパネル６１とのタッチ状態を維持していないと判定した場合（ステップＳ１１２：ＮＯ）、処理をＳ１０６に戻す。
【００６５】
一方、図５Ｅに示すように、利用者が他方の手の食指を第３接点の位置から図５Ｅ中の矢印方向に所定距離（前記閾値以上）ドラッグした場合、ＣＰＵ１１は、第３接点の位置（座標）が変更され、かつ、該変更がＲＯＭ１２に記憶されている前記閾値以上であると判定し（ステップＳ１１１：ＹＥＳ）、指示受付部１６は、領域Ｙ（非選択領域）に対応するＮページの画像の部分をＮ＋１ページの画像に重畳して表示する指示として受け付ける。
【００６６】
この際、表示制御部１４は、Ｓ１１０にて記憶部７０に記憶した、領域Ｙ（非選択領域）に対応するＮページの画像の部分（以下、領域Ｙ対応画像部分と言う）を用い、Ｎ＋１ページの画像に前記領域Ｙ対応画像部分を重畳（合成）した画像を表示部６０に表示する（ステップＳ１１３）（図５Ｆ参照）。
【００６７】
以後、利用者は１１日以降に対する日程表の記入を続けることができる。すなわち、Ｎ＋１ページの画像に前記領域Ｙ対応画像部分を重畳（合成）した画像（データ）の生成における、利用者の手間を省くことができる。
【００６８】
次いで、ＣＰＵ１１は、タッチパネル制御部１８による位置特定の結果に基づいて、第３接点がタッチパネル６１とのタッチ状態を維持しているか否かを判定する（ステップＳ１１４）。
【００６９】
ＣＰＵ１１は、第３接点がタッチパネル６１とのタッチ状態を維持していないと判定した場合（ステップＳ１１４：ＮＯ）、すなわち、利用者が他方の手の食指をタッチパネル６１から離した場合、表示制御部１４は直線Ｌ１を削除し（ステップＳ１１７）、処理は終了する。
【００７０】
一方、ＣＰＵ１１は、第３接点がタッチパネル６１とのタッチ状態を維持していると判定した場合（ステップＳ１１４：ＹＥＳ）、該第３接点の位置（座標）が変更されたか、変更されたのであれば、該変更が最初位置への戻りであるかを判定する（ステップＳ１１５）。斯かる判定は、ＣＰＵ１１が、タッチパネル制御部１８による位置特定の結果に基づいて、前記第３接点の最初位置と変更後の位置とを比較することにより行なわれる。
【００７１】
ＣＰＵ１１は前記第３接点の位置（座標）が変更されていないか、又は変更されたが、該変更が最初位置への戻りでないと判定した場合（ステップＳ１１５：ＮＯ）、処理をＳ１１４に戻す。
【００７２】
一方、ＣＰＵ１１は前記第３接点の位置（座標）が変更され、かつ、該変更が最初位置への戻りであると判定した場合（ステップＳ１１５：ＹＥＳ）、Ｎページの画像を再び表示部６０に表示する（ステップＳ１１６）。
【００７３】
すなわち、Ｓ１１３にて表示された画像が、利用者が意図していたものと異なり、利用者がやり直しを希望する場合、利用者の希望に対応するためのものである。以降、処理は再びＳ１１１に戻る。
【００７４】
上述したように、本発明においては、当該表示画像の中、削除すべき領域の選択、残すべき領域の記憶及び次のページへの貼り付けに係る指示が、ステップＳ１０９〜ステップＳ１１３に係る、タッチしてドラッグするという連続的、かつ同時的操作によって行なわれるので、数多いページの場合、コピーアンドペーストという操作の繰り返しにおける、利用者の手間を省くことができる。
【００７５】
図６は本発明の実施の形態１の複合機１００における、画像表示に係る処理の他例を説明する説明図である。説明の便宜上、複数のページを有する画像を表示する場合を例に、図６に基づいて説明する。
【００７６】
例えば、図６Ａに示すように、前記複数ページの中、所定ページ（Ｎページ）が表示部６０に表示されているものとする。斯かる表示画面の一部のみを削除し、他部を残したい利用者は、この際、タッチパネル６１上の２つの点をタッチして２つの接点の位置を指定する。
【００７７】
例えば、図６Ｂに示すように、利用者は一方の手の中指及び食指を使って、横方向にタッチパネル６１における２つの点をタッチする。これによって、タッチパネル６１は中指でタッチされた第１接点と、食指でタッチされた第２接点との位置指定を受け付ける。
【００７８】
また、タッチパネル６１は、前記第１接点及び第２接点の座標を特定する信号をタッチパネル制御部１８に送出し、タッチパネル制御部１８は、これら信号に基づいて利用者がタッチした前記第１接点及び第２接点の位置（座標）を特定する。
【００７９】
次いで、特定時間の間、タッチパネル制御部１８による位置特定の結果に変更がない場合、表示制御部１４は、タッチパネル制御部１８によって特定された斯かる第１接点及び第２接点の位置（座標）を結ぶ直線を表示部６０の表示画面に表示する。図６Ｂには、斯かる直線Ｌ２が点線である場合を一例として示している。これによって、表示部６０の表示画面は、領域Ｘと、領域Ｙとに２分割される。
【００８０】
例えば、図６Ｃに示すように、表示部６０に直線Ｌ２が表示され、前記表示画面が領域Ｘ及び領域Ｙに２分割された場合において、利用者が他方の手の食指にて領域Ｘの何れかの位置をタッチした場合、選択受付部１７は領域Ｘに対応するＮページの画像の部分を削除すべき画像の領域としてみなす。以下、領域Ｘにおける、斯かる位置を第３接点と称する。
【００８１】
次いで、領域Ｘに対応するＮページの画像の部分が削除される（図６Ｄ参照）。一方、非選択領域、すなわち領域Ｙに対応するＮページの画像の部分が記憶部７０に記憶される。
【００８２】
一方、図６Ｅに示すように、利用者が他方の手の食指を第３接点の位置から図６Ｅ中の矢印方向に所定距離ドラッグした場合、斯かる操作は、領域Ｙ（非選択領域）に対応するＮページの画像の部分をＮ＋１ページの画像に重畳して表示する指示として受け付けられる。
【００８３】
この際、記憶部７０に記憶されている、領域Ｙ（非選択領域）に対応するＮページの画像の部分（領域Ｙ対応画像部分）が、Ｎ＋１ページの画像に重畳されて表示部６０に表示する（図６Ｆ参照）。
【００８４】
本発明に係る複合機１００は以上のような構成を有するので、表示画面の一部のみを削除できる上で、他部を残した状態にて他の画像を表示することができるので、反復して表示すべき部分を、表示画面が変わる度に、作成し又は貼り付ける等の利用者の手間を省くことができる。
【００８５】
また、複数のページを有する画像を表示する場合を例として説明したが、これに限るものでなく、例えば、スクロール表示が必要である画像に対しても、適用可能であることは、言うまでもない。
【００８６】
更に、以上の記載においては、非選択領域に対応するＮページの画像の部分を、Ｎ＋１ページの画像に重畳して表示するように指示する際、３つの点の位置指定が必要であったが、これに限るものでない。
【００８７】
図７は本発明の実施の形態１の複合機１００における、画像表示に係る操作の一例を説明する説明図である。図７に示すように、利用者が一方の手の中指及び食指を使って、縦方向にタッチパネル６１における２つの点をタッチし、直線Ｌ３が表示部６０に表示された後、例えば、領域Ｙの方向（図７中矢印の方向）に中指及び／又は食指をドラッグする操作を行なった場合、領域Ｙに対応する画像の部分が削除される（又は残される）ように構成しても良い。
【００８８】
なお、以上の実施の形態においては、本発明に係る表示装置が複合機１００である場合を例として説明したがこれに限るものでなく、いわゆる電子ホワイトボード、ＰＤＡ等にも適用可能であることは言うまでもない。
【００８９】
更に、以上の記載においては、非選択領域に対応するＮページの画像の部分を、Ｎ＋１ページの画像に重畳して生成する場合について説明したが、これに限るものでない。利用者が予め設定された特定の操作を行わない限り、Ｎ＋２ページの画像にも非選択領域に対応するＮページの画像の部分が重畳して生成するように構成しても良い。
【００９０】
（実施の形態２）
図８は本発明の実施の形態２の複合機１００の要部構成を示す機能ブロック図である。実施の形態２に係る複合機１００は、動作を行うためのコンピュータプログラムが、Ｉ／Ｆ８０を介してＣＤ−ＲＯＭ等の可搬型記録媒体Ｍで提供することも可能であるように構成されている。さらに、実施の形態２に係る複合機１００は、前記コンピュータプログラムを、外部装置から図示しない通信部を介してダウンロードすることも可能であるように構成されている。以下に、その内容を説明する。
【００９１】
実施の形態２に係る複合機１００は外装（又は内装）の記録媒体読み取り装置（図示せず）を備えており、該記録媒体読み取り装置に、２つの位置（点）の指定が受け付けられた場合、該２つの位置を結ぶ直線によって前記表示画面を２つの領域に分割させ、削除すべき領域の選択を受け付けさせるプログラム等が記録された可搬型記録媒体Ｍを挿入して、例えば、ＣＰＵ１１がＲＯＭ１２にこのプログラムをインストールする。かかるプログラムはＲＡＭ１３にロードして実行される。これにより、本発明の実施の形態２に係る複合機１００として機能する。
【００９２】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００９３】
前記通信部を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００９４】
実施の形態１と同様の部分については、同一の符号を付して詳細な説明を省略する。
【符号の説明】
【００９５】
１  制御部
１１  ＣＰＵ
１４  表示制御部  
１５  分割部
１６  指示受付部
１７  選択受付部
１８  タッチパネル制御部
６０  表示部
６１  タッチパネル
７０  記憶部
１００  複合機
Ｌ１，Ｌ２  直線
Ｍ  記録媒体
【図１】
2014010764.tif 000003
【図２】
2014010764.tif 000004
【図３】
2014010764.tif 000005
【図４】
2014010764.tif 000006
【図５】
2014010764.tif 000007
【図６】
2014010764.tif 000008
【図７】
2014010764.tif 000009
【図８】
2014010764.tif 000010